Podtech/llm-jp-corpus-v4-ja_patent huggingface dataset:
(57)【要約】      （修正有）【課題】荷物を全身にバランスよく配置させ持ち運びを軽くすることができ、荷物を身体に密着させ、荷物の持ち運びを長時間軽く容易に出来、荷物を持ちながら両手がを空けることが出来、雨の日も傘をさしたり、杖をついたり出来る巻きバッグを提供する。【解決手段】荷物の持ち運びの際、できるだけ荷物を身体に密着させて持ち運ぶことにより軽くし、又天秤ばかりのように前・後・左・右に荷物をバランスよく配置させることで持ち運ぶ荷物を軽くし、又素材を防水とし両手を空けることで、雨の日でも傘をさしたり、杖をつくことができるようにする。重い荷物をもつときのためきは空いている手で補助手提ひもを持ち上げることができるようにする。ひったくりや盗難防止補助などのためチャックに錠前をつける。【選択図】図５
2008093378.tif 000002
【特許請求の範囲】
【請求項１】
イ．半袖や長袖等その他身体に着用する衣服等の腰から腹部にあたる部分の全身周りに一般通常ポケット付の一連の袋状のバッグを身体周囲にぐるりと巻きつけるように設ける。
ロ．イ．の袋状バッグの上方部分に物の出し入れ用の口を設ける。
ハ．イ．の袋状バッグの上方部分の物の出し入れ用の口部分を左回りと右回りの左右２本のチャック（又はフタなしやフタ付など）で開閉出来るようにしてその閉めたチャックに錠前を取り付け可能にするように構成された衣服等付属着用式全身分散バランス密着巻き袋（巻きバッグ）
【請求項２】
請求項１の一連の巻きバッグのうち衣服がかぶり式のエンドレスなどでない前開などの開き型衣服の場合、両端面をボタン（又はチャックやベルト）等で開閉可能に出来るようにした衣服等付属着用式全身分散バランス密着巻き袋（巻きバッグ）。
【請求項３】
請求項２の一連の巻きバッグを巻き付けた上部分口のチャックを閉じたときその閉めたチャックに錠前でかぎをかけてそのかけた錠前を外から見えないように隠すための錠前隠しポケットを正面左右にそれぞれ１箇所を設けた衣服等付属着用式全身分散バランス密着巻き袋（巻きバッグ）。
【請求項４】
請求項３の一連の巻きバッグの左右の横側面部分に補助手提ひもを取り付ける衣服等付属着用式全身分散バランス密着巻き袋（巻きバッグ）。
【請求項５】
請求項４の一連の巻きバッグに荷物を入れたとき荷物が勝手に移動することがないように荷物をバランスさせるために袋の深さ半分程度のところまで前・後・左・右に数箇所（２〜４箇所）の間仕切り付き切れ込みをいれる衣服等付属着用式全身分散バランス密着巻き袋（巻きバッグ）。
【発明の詳細な説明】
【技術分野】
【０００１】本発明は人が多くの荷物を持ち運ぶとき、出来るだけ軽く長時間持ち運べるようにした一連の巻きバッグに関する。
【背景技術】
【０００２】従来のバッグは身体の片方の肩にのみ重量をかけて持つものが多い。
【発明の開示】
【発明が解決しようとする課題】
【０００３】従来のバッグは荷物を持ち運ぶ上で非常にバランスがかたよりがちで荷物が重く感じた、また荷物を持った際バランスがあまりよくないために身体の一方に重量がかかるため非常に疲れやすく多くの荷物を長時間持つことが難しい。特に高齢化社会に伴い自動車や自転車に乗れない人が増加傾向にあり買い物をしたときなどや災害避難などでも比較的重い荷物を長時間手で持ち運ばざるを得ない状況が非常に多いため、現在非常に困難な社会状況になってきている問題がある。
【課題を解決しようとするための手段】
【０００４】荷物の持ち運びの際、できるだけ荷物を身体に密着させて持ち運ぶことにより軽くし、又天秤ばかりのように前・後・左・右に荷物をバランスよく配置させることで持ち運ぶ荷物を軽くし、又素材を防水とし両手を空けることで、雨の日でも傘をさしたり、杖をつくことができるようにする。重い荷物をもつときのためきは空いている手で補助手提ひもを持ち上げることができるようにする。ひったくりや盗難防止補助などのためチャックに錠前をつける。
【発明の効果】
【０００５】荷物を全身にバランスよく配置させ持ち運びを軽くすることができる。又荷物を身体に密着させ、荷物の持ち運びを長時間軽く容易に出来る。また着用式のため荷物を持ちながら両手がを空けることが出来る。素材を防水とすることで、雨の日も傘をさしたり、杖をついたり出来る。また物入れ箇所を前・後・左・右のいずれにも選んで入れることが出来、数多くいれれる。また大型鞄などを持つときは左・右を空にしておけば同時に大型鞄を持つことも可能であり、乳母車等を押すことなど、又災害避難用や買い物袋用にするなど他にもいろいろの効果が多数考えられる。
【実施例】
【０００６】衣服等付属着用式全身分散バランス密着巻き袋の上部口のチャックを開けて荷物を入れるとともに前・左・右・後にバランスよく荷物を分散配置していれる。、チャックを閉め、チャックを錠前かくしポケットの中で錠前を取り付け鍵をかける（長時間持運ぶときや盗難防止補助の場合など）また荷物を持つ時、左右の横側面補助手提ひもを持ち上げることにより重い荷物を持ちやすくする。また前・後・左・右のいずれかの部分で使用しない箇所はバッグ底部押さえ込みボタンセットのボタンをかけてバッグの底がふくらまないように押さえる。
【産業上の利用分野】
【０００７】この考案は荷物を手で持ち運ぶ際より多くの荷物を持ち運ぶことが可能で全身に密着し荷物をバランスよく配置して入れる事も可能であり又入れる場所もそのつど状況により選ぶ事が出来るため、荷物を持ち運ぶとき同じ重さの荷物でも、より軽く長時間持ち運びが可能であり、また雨の日なども両手が空くため、傘や杖が持てるなど。両手をあけて荷物をより多くより長時間より軽くもてるためその利用範囲は非常に広い。
【図面の簡単な説明】
【０００８】
【図１】正面図
【図２】背面図
【図３】右側面図
【図４】Ａ−Ａ断面図
【図５】斜視図
【符号の説明】
【０００９】１．  着用式全身分散バランス密着巻き袋（バッグ）
２．  巻きバッグ荷物出し入れ口左右開閉チャック
３．  巻きバッグ底部押さえ込みボタンセット
４．  巻きバッグ正面左右チャック固定錠前隠しポケット
５．  巻きバッグ横側面左右補助手提ひも
６．  巻きバッグ付属通常ポケット
７．  巻きバッグ間仕切り付切り込み
８．  ボタン
【図１】
2008093378.tif 000003
【図２】
2008093378.tif 000004
【図３】
2008093378.tif 000005
【図４】
2008093378.tif 000006
【図５】
2008093378.tif 000007
(57)【要約】      （修正有）【課題】患者が点滴中にベッドから離れる時に、点滴容器をキャスター付ハンガーに吊り下げた状態で移動する必要が無くなる小型で便利な携帯型点滴装置を提供する。【解決手段】送給チューブ１２の中間に圧力調整装置６を取付け、それに連通する送給チューブ１２の先端に設けられた点滴注射針７と点滴用薬液用バッグ１に実質的に圧力を付与する装置とを具備する装置で、加圧ローラ２は引張りスプリング３によって点滴用加圧バッグ１に加圧し患者に送給され上記の課題を解決する。【選択図】図１
2008093379.tif 000002
【特許請求の範囲】
【請求項１】
点滴用薬液バッグを２本の加圧ローラに依って挟み、その２本の加圧ローラを、２本のスプリングに依って下方へ引張る点滴用薬液バッグを加圧しながら下降可能とする手段を含むことを特徴とする点滴器。
【請求項２】
点滴用薬液バッグを２本の加圧ローラに依り加圧する手段は、回転可能な加圧ローラであり、加圧ローラを引張っている左右のスプリングの力で加圧ローラが点滴用薬液バッグを加圧しながら液が少なくなるにつれ点滴用薬液バッグの下部へ行く機能を持っている事を特徴とする請求項１記載の点滴器。
【請求項３】
加圧ローラの回転に伴い点滴用薬液バッグの上部を突起の中心部に接合し、下部は点滴用薬液バッグのパイプ状の部分を下部の穴状で保持する事を特徴とする携帯型点滴器。
【請求項４】
点滴用薬液バッグに加圧ローラを取付ける場合、スプリングを引張って上部に止める止めレバーが自動的に動く手段が特徴とされた携帯型点滴器。
【請求項５】
点滴用薬液バッグの下端に接続され、他端に注射針が接続された送給チューブの間に、薬液の送給流量を調整する手段を設けた事を特徴とする携帯型点滴器。
【請求項６】
２本の引張りスプリングに依って薬液バッグに加圧ローラが適正に加圧し適当な圧力で薬液を送給する手段を設けた事を特徴とする携帯型点滴器
【請求項７】
便利薬剤液点滴器は、点滴用バッグを水平にしても作用し、本体のみで一際不属品を必要としない特徴を持っている便利な携帯用点滴器。
【発明の詳細な説明】
【技術分野】
【０００１】本発明は薬液の点滴器に係り、特に小型で不属品のいらない携帯性に優れた点滴器に関する。
【背景技術】
【０００２】従来は、一般的に点滴する場合は点滴用薬液バッグをハンガーに吊り下げ内部の薬液は、薬液の自重により滴下させられている。その為に点滴中の患者がベッドから離れる時は、点滴用薬液バッグを吊り下げたハンガーかキャスター付ハンガーで移動しなければならず、不便であると共に闘病生活を苦痛にする原因の一つでもある。
【発明の開示】
【発明が解決しようとする課題】
【０００３】上記の点滴器に係わる従来技術に色々と新技術を発明されている様ですが、どれも不属品装置を備えなければならず、簡単に薬液バッグに加圧する手段が無く、問題点が多い。【０００４】本発明は、特別な駆動源を必要とせずに、自体で点滴用薬液バッグを加圧出来る小型で箇便な携帯用点滴器を提供する事を目的とする。
【課題を解決する為の手段】
【０００５】本発明に依る点滴器は、上記の課題を解決する為に、点滴用薬液バッグに加圧ロールとスプリングの引張る力により加圧する手段と、点滴用薬液バッグを加圧しながら下降可能とする手段を含む。加圧ローラが下降するに伴い、加圧ローラを回転させる機能をさらに有する。
【発明の効果】
【０００６】本発明に依れば特別な駆動源を必要とせず、本体以外の不属器具、不属設備を必要としない２本の加圧ローラと２本の引張りスプリングの加動により、薬液用加圧バッグを加圧し、この圧力によって患者に薬液が送給出来る為、又、点滴用薬液バッグに過大な加圧をする可能性も無く、信頼性の高い携帯型点滴器である効果がある。
【発明を実施するための最良の形態】
【０００７】２本の引張りスプリングに依り加圧ローラは点滴用薬液バッグを加圧し薬液へ作用する圧力によって患者へ薬液が送給される。点滴用薬液バッグ中の薬液の減少に伴って加圧ローラは回転しながら下降する。【０００８】本発明を添付する図面に基づいて以下詳細に説明をする。【０００９】図１に於いて、まず図５のプラスチックカバーの蓋を開け２の加圧ロールを３の２本のスプリングを引張って上部の４の止めレバー迄持って行くと自動的に４の止めレバーがＯＮの状態となる。【００１０】図２は、２の加圧ロールの２Ａを上にあげ、１の点滴用薬液バッグを上部に止める。２Ａの加圧ロールを点滴用薬液バッグを挟んで元にもどして８の固定板で固定する。【００１１】図３は、加圧ロールの２Ａ、２Ｂを上部にあげた時に、４の止めレバーのＯＮの状態の横面からの見取図。【００１２】図４は、２Ａの加圧ロール軸の止部の８の固定板の拡大図で簡単に手で取り外し、取付け出来る構造になっている。
【図面の簡単な説明】
【００１３】
【図１】正面から見た便利薬剤液点滴器の形体図
【図２】圧力ゴムロール２Ａ、２Ｂの上部から見た図
【図３】圧力ゴムロール止めレバーの形体と左右内側から見た図
【図４】圧力ゴムロール軸の止め部固定の拡大図
【図５】圧力ゴムロール止めレバースイッチ付プラスチックカバーの図
【符号の説明】
【００１４】１    点滴バッグ  薬剤液点滴袋
２    圧力ゴムロール２Ａ、２Ｂ  点滴バッグを挟んで圧力をかける２本のロール
３    引張りスプリング  スプリングの力で２本のゴムロールを引張りバッグに圧力をかける
４    圧力ロール止めレバー  引張りスプリングを延ばした時点で止めるレバー
５    止めレバースプリング  止めレバーを自由に動かすスプリング
６    圧力調整弁  点滴液の流出量を調整する弁
７    点滴針  薬剤液を患者の体内に入れる針
８    固定板  圧力ゴムロールの軸を止めて固定さす止め板
９    カバースイッチ  蓋をすると止めレバーのスイッチをＯＮにして作動する
１０  プラスチックカバー  何処へでも置ける為、物が当る可能性が有、そのカバー
１１  圧力ロール下部ストップ板  圧力ロール最終の止め部分
１２  送給チューブ  薬液バッグから注射針迄のパイプ
１３  左柱  加圧ロールと引張スプリングの固定誘導柱左側
１４  右柱  加圧ロールと引張スプリングの固定誘導柱右側
【図１】
2008093379.tif 000003
【図２】
2008093379.tif 000004
【図３】
2008093379.tif 000005
【図４】
2008093379.tif 000006
【図５】
2008093379.tif 000007
(57)【要約】【課題】  痛みや凝りのある腰部や膝部等に血行の改善を期待できる物質を、患部を覆うように装着でき、痛みや凝りの軽減を図ることのできるゴム状のベルトを提供する。【解決手段】  腰部や膝部に装着できる伸縮性のあるゴム状のベルトに複数の穴をあけ、磁石またはゲルマニウムまたはトルマリンまたはチタンまたはラジウム等の、人体に装着すると血行を良くするとされる物質の塊を、患部に当たる任意の前記穴に複数個収容できるようにした。前記ベルトの穴に収容した前記塊は、患部に前記ベルトを巻きつけることによって皮膚を圧迫し、血行の改善と同時に皮膚への刺激効果も得られるようにした。また、それと同時に先端が尖った形状による圧迫によって得られる刺激は疼痛を改善する効果が期待できるものである。【選択図】図３
2008093380.tif 000002
【特許請求の範囲】
【請求項１】
両端に面ファスナーが装着され、複数の穴が開いた伸縮性のあるゴム状のバンドと、前記穴に脱着可能で突起部を有する特殊な形状を備えた磁石またはゲルマニウムまたはトルマリンまたはチタンまたはラジウム等の、人体に装着するとその特性から血行を良くするとされる素材の塊からなり、前記ゴム状のバンドを腰または膝等の凝りまたは痛みのある部位に巻くことによって、患部を刺激するとともに血行を良くし、治療効果が期待できることを特徴とする健康具。
【発明の詳細な説明】
【技術分野】
【０００１】  本発明は、腰または膝等の凝りや痛みのある部位に、体の動きを制限することなく、効率よく治療効果が期待できる素材を装着することを可能にした、凝りや痛みを軽減する装置に関するものである。
【背景技術】
【０００２】  肩や腰、あるいは膝等の凝りや痛みは、その部位の血液の流れが滞ることにより引き起こされることが多く、その原因となる血行を良くすることで改善が図れることが知られている。そのため、磁気の作用により血行を良くするための治療用品として、磁石を装着した粘着テープを患部に貼り付けるものが市販されている。また、複数個の磁石を収容したベルト状のものを腰に巻き、腰の痛みを改善しようとする装置が検討されている。
【特許文献１】  特開２０００−２２５２０２号
【特許文献２】  特開２００２−１３６６０９号
【発明の開示】
【発明が解決しようとする課題】
【０００３】  かかる磁石の磁気作用を用いた装置において、粘着テープ式のものは肌の敏感な人には受け入れ難く、またベルト状のものは体に巻きつけると運動の妨げになるとともに、磁石が予めベルトに固定されているため、個人の体格差によって痛みのある部位に磁石が効率良く覆われることが難しいという問題がある。さらに近年、磁石の磁気作用以外にゲルマニウムまたはトルマリンまたはチタンまたはラジウム等の鉱石または半導体が発生するマイナスイオンが、血行を良くする作用があることが知られるようになった。前記理由により凝りや痛みを効率良く改善するという観点からは、依然として課題を残すものである。
本発明は、これらの問題点を解決するためになされたものである。
【課題を解決するための手段】
【０００４】  効率良く、また運動を制限することなく凝りや痛みを改善するためには、伸縮性のある材質のものに、血行を良くする素材を、患部を中心に覆うことが可能なように位置を変えて収容でき、患部に固定できることが重要である。本発明は伸縮性のあるゴム状のバンドに、複数個の穴を開けることで複数個の血行を良くする素材を、任意の位置に収容することを可能にした。
以上を特徴とする疼痛治療バンド。
【発明の効果】
【０００５】  上記構成による本装置を腰または膝等の凝りや痛みのある患部に巻くことに
より、血行を良くする素材を、患部を覆うように配置できるため、効果的に患部の血行を良くすることが可能となる。さらに血行を良くする素材は突起部を有する特殊な形状であり、この突起部が患部の皮膚表面を刺激することで治療に対しての相乗効果を期待することができる。
【発明を実施するための最良の形態】
【０００６】  以下、本発明の実施の形態について説明する。
（イ）  腰または膝に巻ける長さの平たい伸縮性のあるゴム状のバンド（１）の両端に面ファスナー（３）を設ける。
（ロ）  前記バンド（１）の両端を除く部分に複数個の治療促進素材（５）が収容できる径を有する複数個の穴（２）を開ける。
（ハ）  前記バンド（１）の片端に、手が挿入できる程の隙間を空けるように前記バンド（１）の垂直方向に装着補助ベルト（４）を装着する。
本発明は以上のような構成で、これを使用するときは、バンド（１）に開けた複数個の穴（２）に、患部を覆うことができる程度の複数個の治療促進素材（５）を装着する。次に片方の手を前記バンド（１）に装着された装着補助ベルト（４）に通し、もう片方の手で前記バンド（１）の他端を持ち、患部が治療促進素材（５）に覆われるようにして腰または膝等に巻いて、前記バンド（１）の両端に設けた面ファスナー（３）で体に固定する。前記バンド（１）を体に巻いて固定した際、治療促進素材（５）が患部を中心に位置していない場合、前記バンド（１）を巻き直すか、または穴（２）に装着された治療促進素材（５）を一旦取り外し、患部を覆う位置にある穴（２）に治療促進素材（５）を装着し直してもよい。
【実施例１】
【０００７】前記バンド（１）はゴム状の材質で構成されているので、治療促進素材（５）が装着されていない場合でも、腰に巻くだけでゴムの伸縮により、血行も良くなり重く感じる腰が楽になり、また脊椎の歪みを矯正する効果が期待できる。
【図面の簡単な説明】
【０００８】
【図１】本発明を構成するバンドの展開図
【図２】本発明を構成する治療促進素材の形状を示す図
【図３】本発明を構成するバンドに治療促進素材を装着した状態を示す図
【符号の説明】
【０００９】１  本発明品
２  治療促進素材収容穴
３  面ファスナー
４  装着補助ベルト
５  治療促進素材
【図１】
2008093380.tif 000003
【図２】
2008093380.tif 000004
【図３】
2008093380.tif 000005
(57)【要約】【課題】爪にカラーリングやアートを行う際に、すばやく、きれいに仕上げるための、カラーリング・アート補助台を提供する。【解決の手段】爪にカラーリングやアートをする際に、手の平及び指先を載せる補助台であって、当該補助台は、少なくとも人差し指、中指、薬指、小指が、適宜な間隔を保つ状態で載置できるように、それぞれの指の左右を隆起することで形成される指台を有し、手の平を置く部位から指先先端部にかけて漸次傾斜した載置面を備えたことを特徴とする。【選択図】図１
2008093371.tif 000002
【特許請求の範囲】
【請求項１】
爪にカラーリングやアートをする際に、手の平及び指先を載せる補助台であって、当該補助台は、少なくとも人差し指、中指、薬指、小指が、適宜な間隔を保つ状態で載置できるように、それぞれの指の左右を隆起することで形成される指台を有し、手の平を置く部位から指先先端部にかけて漸次傾斜した載置面を備えたことを特徴とするネイルカラーリング・アート補助台。
【請求項２】
手の平を載せた載置台が左右にシーソー運動できるように形成された底部を有することを特徴とする請求項１記載のネイルカラーリング・アート補助台。
【請求項３】
指が指台から上側面部にかけて軽くグリップできるように窪みを形成し、載置面はグリップした指が床面に着かない程の高さを有し、左右壁面は左右の手を置き換えても使用できるように親指を添えられるよう湾曲形成されたことを特徴とした、請求項１又は請求項２に記載のネイルカラーリング・アート補助台。
【発明の詳細な説明】
【技術分類】
【０００１】  本発明は、爪にカラーリングやアートを行うときに、すばやくきれいに仕上げるための、ネイルカラーリング・アート補助台に関するものである。
【背景技術】
【０００２】  従来、自分で自分自身の爪にカラーリングやアートを施す場合は、最後まできれいに仕上げるのがとても困難であった。又、マニキュアを爪にコーティングを重ねて塗る場合は、マニキュアがよれる、ムラになる、サイドがうまく塗れない、利き手の方をカラーリングするのが難しいなどの問題があり、時間もかかり、神経をとてもつかう。
なお、ポリエチレンフォームを用いた、手や腕にかかる負担を軽減する傾斜したマニキュア台の発明が知られている。（特許文献１）
さらに、指先を台にのせ、前後に台がスライドさせ、カラーリングする、マニキュアスライド台の発明が知られている。（特許文献２）
【特許文献１】特許公開２００１−２２４４２５
【特許文献２】登録実用新案第３０１７９８８号
【発明の開示】
【発明が解決しようとする課題】
【０００３】  そのために、次のような問題があった。
（イ）手のひら全体を台に載せるため、爪が台にぶつかってしまい、最後まできれいにカラーリングをすることが困難だった。
（ロ）傾斜された底面全体が固定された台のため、爪どうしがぶつかってしまい、最後までカラーリングをすることが困難だった。
（ハ）指を前後にスライドさせるため、爪のサイド、親指が塗りづらかった。
本発明は、以上の問題点を解決しようとするものである。
【課題を解決するための手段】
【０００４】  爪にカラーリングやアートをする際に、手の平及び指先を載せる補助台であって、当該補助台は、少なくとも人差し指、中指、薬指、小指が、適宜な間隔を保つ状態で載置できるように、それぞれの指の左右を隆起することで形成される指台を有し、手の平を置く部位から指先先端部にかけて漸次傾斜した載置面を備えたことを特徴とするネイルカラーリング・アート補助台である。
【発明の効果】
【０００５】  本発明は、爪のサイドを塗る際は、略半球状の突部とアーチ状に湾曲形成された側端部とが２つの支点となり、左右にシーソー運動することで、載置台を塗りやすい角度に傾け爪のサイド部分を塗ることができる。
また、補助台をそのまま軽く握り、横に立てて親指を横側面部に載せることで、マニキュアを親指にきれいに塗ることができる。
したがって、爪にカラーリングを行う時に、ネイルサロンに行かなくても、自分自身ですばやく、きれいに最後まで塗れ、きれいに仕上げられる。
【発明を実施するための最良の形態】
【０００６】  以下、本発明の実施の形態を説明する。
（イ）補助台（１）は、上面に手の平と人差し指、中指、薬指、小指を置く載置面（８）と、周囲に下側面部（５）、横側面部（４）、上側面部（３）と、半球状の突部（６）を有する底部（９）とから構成され、左右対称に形成されている。
（ロ）載置面（８）には、人差し指、中指、薬指、小指がお互いにぶつかり合わないように適宜な間隔を保った状態で載置できるように、それぞれの指の左右を隆起させることで形成される指台（１１）を形成し、それぞれの指が指台（１１）から上側面部（３）にかけて軽くグリップできるように窪みを形成することで指先側端部（２）に隆起部（１０）を形成し、左右の横側面部（４）は、親指を添えられるよう湾曲形成されてある。
（ハ）載置台（８）は手の平を置く部位からから指先側端部（２）にかけて漸次傾斜した載置面（８）となるよう、底部（９）の前方中央部に突部（６）を突出させてあり、載置した指が床面に着かない程の高さを有する。
（ニ）底部（９）の側端部（７）はアーチ状に湾曲形成されてあり、手の平を載せたときに突部（６）との２点の支点のより、補助台（１）が左右にシーソー運動できるように形成されてある。
本発明は、以上の構成で、本発明を使用する時は、補助台（１）の載置面（８）に、指先、手を置き、マニキュアを施す。
爪のサイドを塗る際は、略半球状の突部（６）とアーチ状に湾曲形成された側端部（７）とが支点となり、左右にシーソー運動することで、補助台（１）を塗りやすい角度に傾け爪のサイド部分を塗る。
親指を塗る際は、補助台（１）をそのまま軽く握り、横に立てて親指を横側面部（４）に載せ、マニキュアを施す。
全行程を行う際、爪どうしがぶつかる事はない。
【図面の簡単な説明】
【０００７】
【図１】本発明の上正面図
【図２】本発明の横側面図
【図３】本発明の可動範囲を示す前側面図
【図４】本発明の使用状態を示す斜視図
【図５】本発明の他の使用状態を示す斜視図
【符号の説明】
【０００８】  １  補助台
２  指先側端部
３  上側面部
４  横側面部
５  下側面部
６  突部
７  側端部
８  載置面
９  底部
１０  隆起部
１１  指台
【図１】
2008093371.tif 000003
【図２】
2008093371.tif 000004
【図３】
2008093371.tif 000005
【図４】
2008093371.tif 000006
【図５】
2008093371.tif 000007
(57)【要約】【課題】  従来の介護用スプーンは、被介護者が口を充分開けることができることを前提としており、そうでない場合には機能が低下する。つまり、従来の介護用スプーンは皿が一枚であり、それに乗せた食物は、口を充分開けることができない被介護者の上唇が邪魔をし、スプーンから落ちてしまう。【解決手段】  二枚のスプーンを用いる。追加した一枚を上皿として食物を挟み、口内へ挿入後、上皿スプーンを口外へ引き出すことにより、下皿スプーンに乗った食物が口内に残り、問題が解決される。被介護者は時に口を大きく開けることもあるので、そのような時は、下皿スプーンのみを使って、従来のスプーンと同様に食事を与えることができる。被介護者の様子を見ながら、利用の仕方を随時変えられるのも本発明の特徴である。被介護者が好む食物を挿入により一回与えると、その後は口を大きく開けることも多い。【選択図】図４
2008093375.tif 000002
【特許請求の範囲】
【請求項１】
二枚のスプーンとそれらを保持するための部材から成り、一方のスプーンを手で固定した時、他方のスプーンを指で自由に動かすことができ、これにより両者のスプーンで食物を挟み、被介護者の口の中に食物を挿入し、挿入後、一方のスプーンを口外に引き出すことにより、他方のスプーンに乗った食物を被介護者に与えることができるスプーン。
【発明の詳細な説明】
【技術分野】
【０００１】  本発明は、被介護者に食事を与える時に用いるスプーンに関する。
【背景技術】
【０００２】  従来の介護用スプーンは、被介護者が自らスプーンを持って食事をすることを念頭にしたものが多く、握り易さを工夫したもの、皿部と柄の角度を変えて口に運び易くしたもの、口当たりの優しい素材にしたもの、皿部の形状を変えて食品を取り易くしたもの、等がある。介護者が補助する場合でも、状況に応じ、それらが選択・利用される（例えば、（財）保健福祉広報協会）。
【発明の開示】
【発明が解決しようとする課題】
【０００３】  従来の介護用スプーンは、被介護者が口を充分開けることができることを前提としており、そうでない場合には機能が低下する。つまり、従来のスプーンは皿が一枚であり、それに乗せた食物は、口を充分開けることができない被介護者の上唇が邪魔をし、スプーンから落ちてしまう。このため、被介護者の食卓周辺を汚すのみならず、少しづつでも食べさせようとする介護者の忍耐強い努力が必要であった。【０００４】  このような状況では、食事を流動食にしてしまう場合が多く、流動食の味気ない食感が被介護者の食欲を減退させることもある。よって、口を充分開けることができない被介護者にも容易に食物を与えることのできる新たなスプーンが要望されていた。
【課題を解決するための手段】
【０００５】  従来の介護用スプーンの問題点は、皿が一枚であることにある。本発明では二枚のスプーンを用いる。追加した一枚を上皿として食物を挟み、口内へ挿入後、上皿スプーンを口外へ引き出すことにより、下皿スプーンに乗った食物が口内に残り、問題が解決される。
【発明の効果】
【０００６】  二枚のスプーンを用いることにより、食物を挟み、被介護者の上唇に妨げられることなく食物を口内へ挿入し、食事をさせることが容易にできる。これらの操作は片手でできるため、介護者の便利も良い。また、被介護者は時に口を大きく開けることもあるので、そのような時は、下皿スプーンのみを使って、従来のスプーンと同様に食事を与えることができる。このように、被介護者の様子を見ながら、利用の仕方を随時変えられるのも本発明の特徴である。被介護者が好む食物を挿入により一回与えると、その後は口を大きく開けることも多い。
【発明を実施するための最良の形態】
【０００７】以下、本発明の実施例について、図面を参照して説明する。【０００８】  図１は、本発明の基本構成を示したものである。図中符号１はスプーンであるが、下皿スプーンに相当し、食物（図中符号５）が乗せられる。柄の部分で皿に近いところは湾曲している。柄の基の部分は直線であり、持具４と接合されている。図中符号１と４は、剛な素材で作られている。持具４を手（手の平と人差し指、中指、薬指、小指）で握ることにより、スプーン１が支持される。【０００９】  一方、図中符号２もスプーンであるが、上皿スプーンに相当する。このスプーンの皿は食物５を上から抑えるためのものなので深い必要はなく、平らな面でも良い。柄の部分は全体が真っ直ぐなものであるが、適度な弾力性を有し、接合しているスプーン操作用突起（図中符号３）を指（親指）で操作することにより、柄を送り出すとともに、柄を曲げることもでき、皿の位置を自由に動かすことができる。この操作により、下皿スプーン１に乗せた食物５を、上皿スプーン２で簡単に挟むことができる。【００１０】  図２は、図１の断面Ａを拡大して示したものである。スプーン１の柄は、ボックス型をした持具４と接合されている。スプーン２は接合されていない。【００１１】  図３は、スプーン操作用突起３を指（親指）で操作して食物５を挟んだ状態を示している。食物はこの状態で口内に挿入される。挿入された後、スプーン操作用突起３を親指で引き戻すことにより、スプーン２の皿が口外へ出て、スプーン１の皿と食物５が口内に残り、従来のスプーンと同様の扱いで食物を被介護者に与えることができる。
図４は、持具４の周りを保持部材（把手）６で覆ったものである。この保持部材（把手）は握りを良くするためのものであり、利用者のニーズに合った形状、材質が選ばれる。【００１２】  以上のように、本発明は、従来の介護用スプーンでは難しかった被介護者（特に、口を充分開けることができない方）の食事を容易にすることができ、介護者の負担がかなり低減される。食事を与えることが介護の中心的作業であることを勘案すれば、本発明の寄与は少なからざるものと考えられる。
【図面の簡単な説明】
【００１３】
【図１】本発明の基本構成図。
【図２】Ａ−Ａ線断面図。
【図３】スプーン操作用突起３を操作して食物５を挟んだ状態を示す図。
【図４】握り易い保持部材（把手）６を取り付けた図。
【符号の説明】
【００１４】１  スプーン（下皿）
２  スプーン（上皿）
３  スプーン操作用突起
４  ボックス型持具
５  食物
６  保持部材（把手）
【図１】
2008093375.tif 000003
【図２】
2008093375.tif 000004
【図３】
2008093375.tif 000005
【図４】
2008093375.tif 000006
(57)【要約】      （修正有）【課題】リクライニングベッドの上半身部を上げたときに、枕がずれたり落下したりして、その都度戻すことは、病人や身体の不自由な人には容易な事ではない。枕を止めることにより、枕のずれや落下を防止する装置を提供する。【解決手段】ベッド5とマットレス6の間に滑り止め付ボード4を挟むことで、着脱も簡単で、伸縮自在のゴムベルトで、どのような形状の枕7も保持することが出来、ずれや落下を防止できる。【選択図】図２
2008093374.tif 000002
【特許請求の範囲】
【請求項１】
ベッド本体とマットレスの間に挟み込まれるボードと、ボードの上縁部に取付けられ、ボードの上縁から下方へ垂下したループ形状のベルトと、ベルトの長さ方向の中間部分に取り付けられ、ベルトの長さとループの大きさを調節するベルト長さ調節器具とを備え、ベルトはボード上において左右対にして設けられていることを特徴とする枕保持装置。
【請求項２】
ボードはベッド本体とマットレスの間に着脱自在に取り付けられ、ボードの表面には滑り止め部が形成されていることを特徴とする請求項１記載の枕保持装置。
【発明の詳細な説明】
【技術分野】
【０００１】この発明はリクライニングベッドなどの、枕保持装置に関する。
【背景技術】
【０００２】介護、病院などのリクライニングベッドで、ベッドの上半身を上げた場合、頭を動かしたり、枕から頭を離す度に枕がずれたり落下してしまう。
【発明の開示】
【発明が解決しようとする課題】
【０００３】病人や、身体が不自由な人にとってズレたり落下した枕を自分で直すことは容易な事ではない。
そこで、この発明は、枕を止めることにより、枕のずれや落下を、この装置で防止する事を目的とする。
【課題を解決するための手段】
【０００４】以上の課題を解決する為に、この発明は、長さ調節器具を付けたゴムベルト２本で、枕の両端を止めることで、どのような形状の枕でも対応できる。又、枕の位置の調節も出来る枕保持装置を提供する物である。
また、この発明は、枕保持ベルトを取り付けたボードは滑り止め付きなので、ベッド本体とマットレスの間に挟むだけで装着固定できる。取り外しも簡単である。
【発明の効果】
【０００５】この発明により、ベッドの上半身部を上げた時、枕から頭を離しても枕が落下したりずれたりしない。装置の着脱も簡単である。
【発明を実施するための最良の形態】
【０００６】この発明の装置の形状を、図１に示す。
１はボードの上縁部に取付けられ、ボードの上縁から下方へ垂下したループ形状のベルトである。２ベルト長さ調節器具は、ベルトの長さ方向の中間部分に取り付けられ、ボード３から調節器具２との間の長さと、ループの大きさの双方を別個に調節可能である。３ボードは、両面に滑り止め加工４をしているので、ベッド本体５とマットレス６の間に挟み込むだけで装着固定でき、着脱も簡単である。【０００７】この装置を実施した形態を図２に示すように、３をベッド本体５とマットレス６の間に装着して、ゴムベルト１で枕７を保持し、ベッド上半身部を上げた状態での実施例。
【図面の簡単な説明】
【０００８】
【図１】この発明の形態を示す斜視図である。
【図２】この発明の実施形態を示す側面図である。
【符号の説明】
【０００９】１  枕止めゴムベルト                ２  長さ調節器具
３  ボード                          ４  滑り止め
５  リクライニングベッド本体        ６  マットレス
７  枕
【図１】
2008093374.tif 000003
【図２】
2008093374.tif 000004
(57)【要約】      （修正有）【課題】尿器を使用するときの不快感と、尿器を使わないときにベッド脇に置いている時の見た目の不潔感を同時に解消するための尿器カバーを提供する。【解決手段】尿器カバー１に尿器本体５の排尿受口部を露出させる上部開口部と尿器取っ手６を露出させる開口部を設け、尿器カバー１の上部開口部にはゴムを通し、下部をおじゃみ縫いにしたことを特徴とした、尿器カバー１である。【選択図】図１
2008093377.tif 000002
【特許請求の範囲】
【請求項１】
尿器カバー（１）に開口部（２）を設け、尿器カバー（１）の上部（３）にゴムを通し、下部（４）をおじゃみ縫いにしたことを特徴とした、尿器カバーである。
【発明の詳細な説明】
【技術分野】
【０００１】  本発明は、綿１００％の肌ざわりの良い布で作った尿器カバーを尿器に取付け、尿器を使用するとき、ふとももに挟んだプラスチックの不快感や、尿器を使わないときにベッドの脇に置いているとき、来客人側からの見た目の不潔感を、同時に解消するための尿器カバーに関するものである。
【背景技術】
【０００２】  従来、ベッドで横になっている状態で尿器をあてるとき、特に冬場は、ふとももに尿器を挟むたびに冷たがる。
介護する側の私は、そのたびに、こういうもんだから仕方がないくらいに思っていた。
たとえば、外出先で、公衆トイレの便座が冷たくて一瞬びっくりとがっかりというような、用をたす前の不快感を味わうことも多い。
家では当然のように便座が温かくて用をたす前は、ほっとするものなのにと思ったときに、尿器を使用する人のふとももに挟むときの尿器の冷たさの不快感がなんとなくわかった。
介護用ベッドの尿器ラックやベッド脇に尿器を置くのは、介護が必要な障害者の居るお家や病院・施設では、ごく普通のことである。
私が尿器を毎日目にするようになったのは、主人がくも膜下出血で突然倒れてからだったので、最初の頃は正直言って尿器はなんとなく不潔に見えていた。
なお、尿器とその付属品全般を収納するための収納用カバーがある（特許文献１）。
【特許文献１】特開２００１−１０４２１５号公報
【発明の開示】
【発明が解決しようとする課題】
【０００３】  それには次のような問題点があった。
（イ）尿器をふとももに挟むときのプラスチックの肌ざわりの不快感に加えて、冬場の冷    たい感触は用をたす前の不快感となり、尿器をあてても尿が出そうで出ないことがよ    くある。
（ロ）介護をする毎日の中で尿器は必需品だが、病院へのお見舞い客や自宅への来客人側    から見ると、もしかしたら私が最初の頃に思っていたような見た目の不潔感があるか    もしれない。
（ハ）収納用カバーは、上部に開閉自在の開口部を設け、防水性と内部の透けない材質で    製造してあり、外出用にはいいかもしれないが、毎日、数回の排尿に使用には適して    いない。
本発明は、以上の問題点を解決するためのものである。
【課題を解決するための手段】
【０００４】  尿器カバー（１）に開口部（２）を設け、尿器カバー（１）の上部（３）にゴムを通し、下部（４）をおじゃみ縫いにする。
以上を特徴とする尿器カバーである。
【発明の効果】
【０００５】  尿器をふとももに挟む時、尿器に肌ざわりの良い布カバーをすることによって、ほっとする感触が安心感となり、用をたす前の不快感がなくなるために、排尿がスムーズになる。
介護用ベッドの尿器ラックやベッド脇に尿器を置いていても、尿器カバーをつけておくと不潔感もなくて見た目も良い。
尿器の形は、どれも同じような形だが多少の違いがあるので、どの尿器にも対応できるようにキッチリとしたサイズや形にせず、下はおじゃみ縫いにし上部はゴムを入れて伸縮があるようにしているため、取り付け取りはずしが簡単で、尿の色や量もすぐに見ることができる。
【発明を実施するための最良の形態】
【０００６】  以下、本発明の実施の形態を説明する。
尿器カバー（１）に開口部（２）を設け、尿器カバー（１）の上部（３）にゴムを通し、下部（４）をおじゃみ縫いにしたことを特徴とした、尿器カバーである。
図面を参照しながら、さらに詳しく説明する。
（イ）図２の（ａ）に示すように、尿器カバー（１）の布の両端を折って縫う。
（ロ）図２の（ｂ）に示すように、尿器カバー（１）の布を中表に折り尿器取手（６）を    外部に出す部分以外を縫い、尿器カバー（１）に開口部（２）を設ける。
（ハ）図２の（ｃ）に示すように、点線部を縫う。
（ニ）図２の（ｄ）に示すように、尿器カバー（１）の下部（４）をおじゃみ縫いする。
（ホ）図２の（ｅ）に示すように、尿器カバー（１）の上部（３）を縫ってゴムを通す。
本発明は、以上の構成よりなっている。
本発明を使用するときは、尿器カバー（１）を尿器本体（５）に下部から入れ、開口部（２）から、尿器取手（６）を外部に出す。
尿器の形は、どれも同じような形だが多少の違いがあるので、どの尿器にも対応できるようにキッチリとしたサイズや形にせず、下部はおじゃみ縫いにし上部はゴムを入れて伸縮があるようにしている。
尿器への取り付け、取りはずしが簡単で、尿の色や量をすぐ見ることができる。
洗い替えが必要なので、販売は２枚セットにする。
【図面の簡単な説明】
【０００７】
【図１】  本発明の使用状態を示した斜視図である。
【図２】  本発明の工程を示した説明図である。
【符号の説明】
【０００８】    １  尿器カバー
２  開口部
３  上部
４  下部
５  尿器本体
６  尿器取っ手
【図１】
2008093377.tif 000003
【図２】
2008093377.tif 000004
(57)【要約】【課題】ティーバッグで紅茶や緑茶を抽出する場合、従来は抽出途中や抽出後のティーバッグをティーカップから引き上げたあと皿などに一時置いていたが、滴が落ちてテーブルや皿を汚していた。本発明は、抽出途中のティーバッグをティーカップや紙コップなどの容器の大きさに応じて程よい高さでティーカップの真上に吊るすことができ、滴をティーカップの中に落下させることでテーブルや皿を汚さないティーバッグ用ハンガースタンドを提供する。【解決手段】保持部材（１）に支柱（２）を設け、その支柱（２）の上に横に延びたアーム（３）を設ける。アーム（３）にティーバッグの吊り紐と持ち紙を引っ掛けるための二股フック（４）を複数個設けることを特徴とする。【選択図】図２
2008093372.tif 000002
【特許請求の範囲】
【請求項１】
保持部材（１）に支柱（２）を設け、その支柱（２）の上部に横に延びたアーム（３）を設ける。アーム（３）に二股フック（４）を複数個設ける。
以上の構成よりなるティーバッグ用ハンガースタンド。
【発明の詳細な説明】
【技術分野】
【０００１】この発明は、ティーバッグで紅茶や緑茶を抽出する際、所定時間が経過して、ティーバッグをお湯を入れた容器から取り出すとき、そのまま容器の真上に吊り上げ、容器の高さやティーバッグの吊り紐の長さに応じて、高さを段階的に変えて吊り置きできるティーバッグ用ハンガースタンドに関するものである。
【背景技術】
【０００２】従来、容器の高さやティーバッグの吊り紐の長さに応じて吊り下げる高さを簡単に変えられるティーバッグ専用のハンガースタンドはなかった。
【発明の開示】
【発明が解決しようとする課題】
【０００３】ティーバッグを使って紅茶や緑茶を抽出する場合、次のような欠点があった。
（イ）ティーカップで好みの濃さに抽出する場合、お湯に浸したティーバッグをティーカップから取り出したあと、別に用意したティーバッグホルダーなどの皿の上に置いていたが、その皿を毎回洗う必要があり、煩わしかった。
（ロ）抽出途中のティーバッグを別に用意した皿などに置いた場合、ティーバッグが直接皿に触れ、不潔感があった。
（ハ）抽出したティーバッグをティーカップのお湯から取り出した場合、数秒の間、滴が落ちてテーブルを濡らし不潔であった。
（ニ）他の道具を使ってティーバッグを吊り下げる場合には、ティーバッグの吊り紐の長さや容器の大きさに合わせて程よい高さに吊るすのが簡単ではなく煩わしかった。
本発明は、以上のような欠点をなくすためになされたものである。
【課題を解決するための手段】
【０００４】保持部材（１）に支柱（２）を設け、その支柱（２）の上部に横に延びたアーム（３）を設ける。アーム（３）にティーバッグの吊り紐と持ち紙を引っ掛ける二股フック（４）を複数個設ける。
本発明は、以上の構成よりなるティーバッグ用ハンガースタンドである。
【発明の効果】
【０００５】（イ）お湯に浸したティーバッグをティーカップから取り出したあと、そのままティーカップの上方の程よい高さに吊り上げられるので、別に皿などを用意する必要がなく、このティーバッグ用ハンガースタンド本体には濡れたティーバッグの袋部分は接っしないので毎回洗う必要もない。
（ロ）濡れたティーバッグの袋部分は宙に浮いた状態に固定できるのでティーバッグは清潔が保て、同じティーバッグで二度抽出する場合でも安心感がもてる。
（ハ）抽出したティーバッグをティーカップのお湯から取り出したあと、数秒の間、滴が落ちてもティーカップの中へ受け止められるのでテーブルを汚さない。
（ニ）ティーバッグの吊り紐の長さに合わせて程よい高さに吊るすことができるので、ティーカップだけではなく、紙コップ、マグカップ、湯飲みなど多種多様な容器で使用できる。
【発明を実施するための最良の形態】
【０００６】以下、本発明を実施するための最良の形態について説明する。
全体を支えるのに充分な大きさと重さの保持部材（１）に支柱（２）を設け、その支柱（２）の上部に横に延びたアーム（３）を設ける。そのアーム（３）の先端と、任意の間隔を開けたアーム上に、ティーバッグの吊り紐と持ち紙を引っ掛けるための先端から二股に分かれた二股フック（４）を複数個設ける。
本発明は、以上のような構造で、これを使用するときは、テーブルに本発明を置き［図２］に示すように、アーム（３）の先端の真下にお湯の入ったティーカップ（ｅ）を置く。お湯にティーバッグを浸しながらアーム（３）の先端にある二股フック（４）の間に吊り紐（ａ）を通し、持ち紙（ｂ）を引っ掛ける。抽出したのち吊り紐（ａ）の長さに合わせて、持ち紙（ｂ）を先端から２番目の二股フック（４）か３番目の二股フック（４）まで移動させ、ティーバッグ袋（ｃ）を宙に浮かせればよい。お茶を飲み終えたあとは、引っ掛けてあったティーバッグは捨てるだけで本発明品を洗う必要はない。
【図面の簡単な説明】
【０００７】
【図１】  本発明の斜視図である。
【図２】  本発明の使用説明のための斜視図である。
【符号の説明】
【０００８】  １  保持部材
２  支柱
３  アーム
４  二股フック
ａ  ティーバッグ吊り紐
ｂ  ティーバッグ持ち紙
ｃ  ティーバッグ袋
ｄ  湯
ｅ  ティーカップ
ｆ  滴
【図１】
2008093372.tif 000003
【図２】
2008093372.tif 000004
(57)【要約】【課題】軽量で取り扱いに便利な石皿を提供すること。また、ＩＨクッキングヒーターでも使用出来る石皿を開発すること。【解決手段】市販されている周辺部をアルミニウム鋳物で鋳くるまれた石皿の底面を薄く削り、削った所にアルミニウム板、またはセラミックスの板を嵌め込む手段を取ることで、保温力を保持したまま軽量で加熱効率の高い石皿を提供することが出来た。また、ＩＨクッキングヒーターに対応させるためには、アルミニウム板やセラミックス板に代えてカーボン板を使用することで課題を解決した。【選択図】図２
2008093343.tif 000002
【特許請求の範囲】
【請求項１】
円形の石の板とアルミニウム鋳物からなる石皿において、石の板を薄く削り、削られた部分にアルミニウムの板、セラミックスの板などを設置したことを特徴とする軽量でも冷めにくい石皿。
【請求項２】
請求項１の石皿において、アルミニウム板やセラミックス板の代わりにカーボン板を設置したことを特徴とする軽量でも冷めにくい石皿。
【発明の詳細な説明】
【技術分野】
【０００１】
本発明は、石製の食器の改良に関するもので、軽量化とＩＨクッキングヒーターへの対応を図ったものである。
【背景技術】
【０００２】
従来より、ステーキ用石皿として石の円板の外周をアルミニウム鋳物で鋳くるみ縁取りしたものが販売されている。石板の厚みは１０ミリ程度のため一度加熱されると冷めにくく、遠赤外線の放射もあって美味しい料理を楽しむ事が出来る。しかし、重量があるため扱い難く、軽量化するために石板の厚みを薄くすると、アルミニウム鋳物と合体させるときにアルミニウムの収縮により石板が破損して軽量化することが出来なかった。
【発明の開示】
【発明が解決しようとする課題】
【０００３】
外食産業で従来の石皿を使用するとき、重く取り扱いが不便で、加熱にも時間がかかり、また、ＩＨクッキングヒーターでは加熱出来ない、などの欠点があった。本発明は、従来のアルミニウム鋳物で縁取られた石皿を、保温力を保ちながら軽量化するにはどのようにすればよいか、また、ＩＨクッキングヒーターでも加熱出来るようにするにはどうすればよいかを課題とした。
【課題を解決するための手段】
【０００４】
アルミニウム鋳物で縁取りされた石皿は、石板の厚みを１０ミリ以下とすると、石板の外周をアルミニウムで鋳くるむとき、アルミニウムが収縮するときの力で破損しやすいため、通常は石板の厚みが１０ミリの石皿が市販されている。本発明は、石板の厚さを薄くしてアルミニウムで鋳くるむのではなく、市販されている石板の厚さ１０ミリの石を裏面から削って４ミリとし、削られた部分に石板の代わりに軽量で保温力があり、石より早く加熱出来るアルミニウムの円板を嵌め込むことで課題を解決した。また、ＩＨクッキングヒーターで加熱出来るようにするにはアルミニウム板の代わりにカーボンの板を嵌め込めばよい。
【発明の効果】
【０００５】
石皿の利点は、鉄鋳物の食器とはひと味違った高級感があり、かつ、遠赤外線の放射も大きく、保温性を必要とするステーキ皿として外食産業で使用したい食器のひとつであった。しかし、従来の石皿は石板が厚くて重いため採用が見送られていた。本発明によって軽量で保温力のある石皿が実現したことにより、外食産業で使用されることが出来るようになった。また、厨房の電化に伴い、石皿もＩＨクッキングヒーターで加熱したいとの要望もあったが、加熱板をカーボンに変えることにより、この要望にも対応出来るようになった。
【発明を実施するための最良の形態】
【０００６】
石の材質は、熱に対して割れにくく、ビビンバ料理にも広く使用されている長水石を用いる。長水石は硬いが脆いため、アルミニウムで外周を鋳くるむとアルミニウムが収縮するときの力で破損してしまう。そのため石が割れないように１０ミリ程度の厚みのある石板を使用する必要がある。軽くするためには、鋳くるまれた石板を削り取って薄くするのが現実的で、手間は掛かるが確実に加工出来る。石板を薄くすると軽くはなるが保温力が失われるので、石よりも軽くて保温力が大きく、かつ、加熱効率のよいアルミニウムを用いることで軽量化に成功した。料理によって保温したい時間が変わるので、アルミニウム板の厚さを目的に応じた厚みに設定して石板を削り取って薄くした部分に嵌め込む。
【０００７】
また、ＩＨクッキングヒーターで加熱出来るようにするためには、アルミニウム板の代わりにカーボン板を嵌め込めばよい。カーボン板はＩＨヒーターで鉄と同じように発熱するが、鉄板のように加熱されたときに反って変形することはなく平面を保つので、石板の底面に密着した状態を維持するのでカーボンで発熱した熱を効率よく石板に伝え加熱することが出来る。
【実施例１】
【０００８】
図１は、現在市販されている石皿の断面図であって、（１）は１０ミリの厚みを持つ石板。（２）は石板の周囲に鋳くるまれたアルミニウム鋳物である。図２は、本発明の１実施例で図１の石板（１）を薄く削り、削った部分にアルミニウム板（３）を嵌め込み、このアルミニウム板（３）を外周のアルミニウム鋳物と（６）の部分で溶接して一体化したものである。
【実施例２】
【０００９】
図３は、石板を削った部分にカーボン板（４）を嵌め込み、カーボン板（４）を固定するために周辺の外周部分の３〜４カ所にアルミニウムの小片（５）を溶接したものである。市販されている石皿の重量は１５３０グラムであるが、石板を削って４ミリの厚さにした石皿の重量は６５８グラムとなり、カーボン板を嵌め込んだ実施例の重量は１１１０グラムとなって大幅に軽量化することが出来た。
【産業上の利用可能性】
【００１０】
本発明は、外食産業で取り扱いに便利な軽量の石皿として、また、電化された厨房においても利用できる石皿として重宝されるものである。
【図面の簡単な説明】
【００１１】
【図１】現在市販されている石皿の断面図である。
【図２】本発明の石皿の１実施例の断面図である。
【図３】ＩＨクッキングヒーターに対応させた石皿の実施例の断面図である。
【符号の説明】
【００１２】
１    石皿
２    石皿の周辺に鋳くるまれたアルミニウム鋳物
３    石皿の底に嵌め込まれたアルミニウム板
４    石皿の底に嵌め込まれたカーボン板
５    カーボン板固定用のアルミニウム小片
６    嵌め込んだアルミニウム板と周辺のアルミニウム鋳物との溶接部分
【図１】
2008093343.tif 000003
【図２】
2008093343.tif 000004
【図３】
2008093343.tif 000005
(57)【要約】【課題】朝、夜など雨の降っている（雨の降っていない）暗い所で傘を差しても、足元が見えにくく安全でなかったことを解消するために、ライト付き傘を提供する。【解決手段】傘の手で持つ部分を平面に削り、ライトの土台をそれに合わせて削り合わせて、取り付けて安全で安心な傘を使用出来るようにする。【選択図】図２
2008093464.tif 000002
【特許請求の範囲】
【請求項１】
傘にライトを取り付けました。
傘の手で持つ部分にライトを取り付けた点。
【発明の詳細な説明】
【０００１】本発明は朝、夜など雨の降る（雨の降っていない）暗い所で、足元が見えにくく、安全でなかったことを解決するために、傘の手で持つ部分にライトを取り付けて、足元を明るく、安全に使用出来るようにしたものである。
【０００２】従来は、傘にライトを取り付けた明るくて、安全で、安心な傘はなかった。
発明の開示
【０００３】朝、夜など雨の降る（雨の降っていない）暗い所で、従来の傘は、足元が悪く階段を踏み外したり、雨の上がった時でも、人が歩いていますよという、人、自転車、バイク、自動車等に分かってもらえることが出来ない難点がありました。本発明は、この課題を解消するためになされたものである。
【０００４】傘の手で持つ部分を縮小し、ライトを取り付けました。ライトを取り付けた部分も手で持って、違和感のないように取り付けました。また、傘を閉じる時もライトが邪魔にならないように取り付け、晴れた暗い夜にでも使用出来るようにしました。
【０００５】この傘にライトを取り付けることにより、雨の降る（雨の降っていない）暗い時でも、足元が明るくなり、人、自転車、バイク、自動車等に分かりやすく安全になります。そして、特に夜の暗い所での１人歩きは、犯罪が多発しやすく、ライトをつけていることにより少しでも、安心して夜道を歩くことが出来ます。
【０００６】傘の手で持つ部分の内側の前から５．５ｃｍぐらいをヤスリで削りライトの土台となる部分を、先ほど傘の削った部分に合わせ、同じ型になるように再度削り、違和感のないように接着剤で取り付けます。
【図面の簡単な説明】
【０００７】
【図１】本発明の正面図である。（ライト収納図）
【図２】本発明の使用状態を示す図である。
【符号の説明】
【０００８】１  傘本体
２  首振りライト
３  ライト取り付け線
４  傘本体の手で持つ部分
【図１】
2008093464.tif 000003
【図２】
2008093464.tif 000004